(57)【要約】      （修正有）【課題】タッチパネルのガラス基板の節約が図れる前方光源液晶パネルとタッチパネルの組合せ構造並びにタッチパネル付き平面表示器を提供する。【解決手段】タッチパネル付き平面表示器は反射型液晶表示器１３０と、該反射型液晶表示器にあるタッチパネル１４０からなり、反射型液晶表示器１３０は少なくとも透明基板２４及び光源３０を有し、タッチパネル１４０は、少なくとも、該タッチパネルの基板となる前記透明基板２４の上にある第一の透明導電層と、粘着層４６と、第二の透明導電層とを有する。【選択図】      図４
2004212516.tif 000002
【特許請求の範囲】
【請求項１】
反射型液晶表示器と、該反射型液晶表示器の上にあるタッチパネルからなるタッチパネル付き平面表示器であって、
前記反射型液晶表示器は少なくとも透明基板及び該透明基板の端面にある光源を有し、
前記タッチパネルは、少なくとも、該タッチパネルの基板となる前記透明基板の上にある第一の透明導電層と、前記第一の透明導電層の上にある粘着層と、前記粘着層の上にある第二の透明導電層とを有するタッチパネル付き平面表示器。
【請求項２】
前記透明基板を光ガイド板とすることを特徴とする請求項１に記載のタッチパネル付き平面表示器。
【請求項３】
更に前記透明基板と前記第一の透明導電層の間にある透明フィルムを備えることを特徴とする請求項２に記載のタッチパネル付き平面表示器。
【請求項４】
前記透明フィルムの材質は透明樹脂であることを特徴とする請求項３に記載のタッチパネル付き平面表示器。
【請求項５】
前記透明フィルムは平坦化プロセスを経て形成されることを特徴とする請求項３に記載のタッチパネル付き平面表示器。
【請求項６】
前記光ガイド板の光屈折率は前記透明フィルムのそれと異なることを特徴とする請求項３に記載のタッチパネル付き平面表示器。
【請求項７】
更に前記光源と前記光ガイド板の端面との間にある偏光板を備えることを特徴とする請求項２に記載のタッチパネル付き平面表示器。
【請求項８】
更に前記偏光板と前記光ガイド板の端面との間にある位相差板を備えることを特徴とする請求項７に記載のタッチパネル付き平面表示器。
【請求項９】
更に前記光源と前記光ガイド板の端面との間にある位相差板を備えることを特徴とする請求項２に記載のタッチパネル付き平面表示器。
【請求項１０】
前記反射型液晶表示器は、前記光ガイド板の前記タッチパネルに対面する側の反対側にある色フィルタを有することを特徴とする請求項２に記載のタッチパネル付き平面表示器。
【請求項１１】
前記光ガイド板の光屈折率は前記色フィルタのそれと異なることを特徴とする請求項１０に記載のタッチパネル付き平面表示器。
【請求項１２】
前記光ガイド板の材質はプラスッチクであることを特徴とする請求項２に記載のタッチパネル付き平面表示器。
【請求項１３】
前記反射型液晶表示器は、前記光ガイド板の前記タッチパネルに対面する側の反対側にある透明平状板を有し、かつ、該透明平状板の硬度は前記光ガイド板のそれより大きいことを特徴とする請求項２に記載のタッチパネル付き平面表示器。
【請求項１４】
前記光ガイド板の材質は紫外線硬化樹脂であることを特徴とする請求項１３に記載のタッチパネル付き平面表示器。
【請求項１５】
前記透明平板の材質は透明ガラスであることを特徴とする請求項１３に記載のタッチパネル付き平面表示器。
【請求項１６】
前記光源は、夫々前記透明基板の対向し合う両端面にある二つの光源からなることを特徴とする請求項１に記載のタッチパネル付き平面表示器。
【請求項１７】
第一の基板と、前記第一の基板の上にある複数のマトリックス状フィルムトランジスタと、これらのフィルムトランジスタの上にある液晶層と、前記液晶層の上にある第二の透明基板と、前記第二の透明基板の端面にある光源と、前記光源と前記第二の透明基板の間にある偏光板と、前記偏光板と前記第二の透明基板の間にある位相差板と、前記第二の透明基板の上にある透明フィルムと、前記透明フィルムの上にある第一の透明導電層と、前記第一の透明導電層の上にある粘着層と、前記第一の透明フィルムの上にある第二の透明フィルムとからなる前方光源液晶パネルとタッチパネルの組合せ構造。
【請求項１８】
前方光源液晶パネルは、前記第一の基板と、前記複数のマトリックス状フィルムトランジスタと、前記液晶層と、前記第二の透明基板と、前記光源と、前記偏光板と、前記位相差板と、前記透明フィルムとから構成されることを特徴とする請求項１７に記載の前方光源液晶パネルとタッチパネルの組合せ構造。
【請求項１９】
タッチパネルは、前記透明フィルムと、前記第一の透明導電層と、前記粘着層と、前記第二の透明フィルムとから構成されることを特徴とする請求項１８に記載の前方光源液晶パネルとタッチパネルの組合せ構造。
【発明の詳細な説明】
【０００１】
【発明の属する技術分野】
本発明はタッチパネルを組合せる前方光源液晶表示器（ｄｉｓｐｌａｙ）に関わり、特に、前方光源の光ガイド板にタッチパネル（ｔｏｕｃｈ  ｐａｎｅｌ）を組合せてなる液晶表示器に。
【０００２】
【従来の技術】
従来、反射型液晶表示器は光源として前光（ｆｒｏｎｔ  ｌｉｇｈｔ）を用いるのは一般である。光源は光ガイド板（ｌｉｇｈｔ  ｇｕｉｄｅ  ｐａｎｅｌ）のＶ形切断面（Ｖ−ｃｕｔ）により液晶表示器にガイドされる。
【０００３】
図１は従来の反射型表示器の構成を示す図である。図１において、反射型液晶表示器の下ガラス基板となる下地材１００の上にマトリックス状フィルムトランジスター１０２と保護層１０４及び反射層１０６があり、反射層１０６の上に上ガラス基板１１４がある。該上ガラス基板１１４の上に順に位相差板１１６及び偏光板１１８があり、更に、上ガラス基板１１４の偏光板１１８に対面する側の反対側に順に色フィルタ１１２及び透明導電層１１０がある。下ガラス基板１００と上ガラス基板１１４の間に液晶が注入される。偏光板１１８の上に光ガイド板１２０があり、該光ガイド板１２０の端面に光源１２２がある。光源１２２からの光線が光ガイド板１２０により液晶表示器へガイドされ、そして、反射板１０６により反射される。これにより反射型液晶表示器が具現される。このような反射型液晶表示器は米国特許ＵＳ６３２３９１９号及びＵＳ６３４０９９９号に掲載されている。
【０００４】
日常、例えば、観光リゾート案内に関する画面を表示する表示器ではタッチパネルがよく用いられる。現在、反射型液晶表示器にタッチパネルを増設する場合、例えば、図２に示すようにタッチパネル１４０を直接反射型液晶表示器１３０に貼着し、即ち、タッチパネルを前方光板に貼着するのは殆どである。Ｎｉｓｓｈａにより出願された特許ＷＯ９９６３３９４号、ＪＰ１１３４４６９５号及びＪＰ２０００１６２５９４号には、図３に示すようなタッチパネルを組合せる前方光源液晶表示器が掲載されている。
【０００５】
しかしながら、前記のようにタッチパネルを液晶パネルに直接貼着する場合、表示器全体の厚みや重量を増大させるばかりか光の透過率を低下させる問題がある。また、透明ガラス層があまり多すぎると、背景が深くなったり表示器全体の重さが大幅に増大したりする恐れがある。
【０００６】
【発明が解決しようとする課題】
前記のような問題点を解決するため、本発明の目的は、液晶表示パネルの上下ガラス基板の代わりにプラスッチクの上下透明基板を用い且つ該上透明基板を光ガイド板とするように設計し、上プラスチック基板頂部のＶ形切断面エリアを上透明基板と異なる材質で平坦化プロセスにより形成される透明樹脂層とし、更に、透明タッチパネルの底部構造として透明導電層を塗布し、透明タッチパネルを形成することにより、表示器全体の軽量薄化設計を達成することが可能な前方光源液晶パネルとタッチパネルの組合せ構造並びにタッチパネル付き平面表示器を提供することにある。
【０００７】
また、本発明の他の目的は、前方光源液晶パネルと抵抗型タッチパネルの組合せ構造並びにタッチパネル付き平面表示器を提供することにある。
【０００８】
また、本発明の他の目的は、液晶表示器の上下透明基板及びタッチパネルはプラスッチク基板を用い且つ一体に組合せるように設計し、このようなプラスチックの光ガイド板及びタッチパネルの設計により表示器全体の軽量薄化設計を達成することが可能な軽量薄化の前方光源液晶パネルとタッチパネルの組合せ構造並びにタッチパネル付き平面表示器を提供することにある。
【０００９】
また、本発明の他の目的は、背景が深過ぎる問題を克服し光透過率を増大させる前方光源液晶パネルとタッチパネルの組合せ構造並びにタッチパネル付き平面表示器を提供することにある。
【００１０】
また、本発明の他の目的は、下ガラス基板の材質としてプラスチックまたはガラスを、光ガイド板の材質としてＶ形切断面を形成できる紫外線硬化樹脂を用いる前方光源液晶パネルとタッチパネルの組合せ構造並びにタッチパネル付き平面表示器を提供することにある。
【００１１】
また、本発明の他の目的は、偏光板及び位相差板の貼着面積を減少し材料を節約し、偏光板及び位相差板を上透明基板の端面に設け、表示器全体の厚みが薄くなる前方光源液晶パネルとタッチパネルの組合せ構造並びにタッチパネル付き平面表示器を提供することにある。
【００１２】
更に、本発明の他の目的は、光線が表示器全体の光媒体を透過する際の光エネルギー損失が低減し光エネルギーが増強しパワー消耗が低くなる前方光源液晶パネルとタッチパネルの組合せ構造並びにタッチパネル付き平面表示器を提供することにある。
【００１３】
【課題を解決するための手段】
前記目的を達成するための本発明のタッチパネル付き平面表示器は、反射型液晶表示器と、該反射型表示器の上にあるタッチパネルからなる。前記反射型液晶表示器は少なくとも透明基板及び該透明基板の端面にある光源を有する。ここで、前記透明基板は光ガイド板であって良いし、その材質がプラスチックでありうる。また、前記タッチパネルは、少なくとも、前記透明基板の上にある第一の透明導電層と、前記第一の透明導電層の上にある粘着層と、前記粘着層の上にある第二の透明導電層とを有する。ここで、前記透明基板は該タッチパネルの基板となる。
【００１４】
前記タッチパネル付き平面表示器は更に前記透明基板と前記第一の透明導電層の間にある透明フィルムを備えても良い。前記透明フィルムは、そのの材質として透明樹脂を用い、平坦化プロセスを経て形成して良い。また、前記光ガイド板の光屈折率は前記透明フィルムのそれと異なることが好ましい。
【００１５】
また、前記タッチパネル付き平面表示器は、更に、前記光源と前記光ガイド板の端面との間にある偏光板及び位相差板を備えて良い。
【００１６】
また、前記反射型液晶表示器は、前記光ガイド板の前記タッチパネルに対面する側の反対側にある色フィルタを有しても良い。ここで、前記光ガイド板の光屈折率は前記色フィルタのそれと異なることが好ましい。更に、前記反射型液晶表示器は、前記光ガイド板の前記タッチパネルに対面する側の反対側にある透明平状板を有して良い。ここで、該透明平状板の硬度は前記光ガイド板のそれより大きい。前記光ガイド板の材質は紫外線硬化樹脂、前記透明平板の材質は透明ガラスであって良い。
【００１７】
また、前記タッチパネル付き平面表示器において、その光源は、夫々前記透明基板の対向し合う両端面にある二つの光源から構成しても良い。
【００１８】
一方、本発明の前方光源液晶パネルとタッチパネルの組合せ構造は、第一の基板と、前記第一の基板の上に順に設けられる複数のマトリックス状フィルムトランジスタと液晶層と第二の透明基板と、前記第二の透明基板の端面にある光源と、前記光源と前記第二の透明基板の間にある偏光板と、前記偏光板と前記第二の透明基板の間にある位相差板と、前記第二の透明基板の上に順に設けられる透明フィルムと第一の透明導電層と粘着層及び第二の透明フィルムとからなる。ここで、前方光源液晶パネルは、前記第一の基板と、前記複数のマトリックス状フィルムトランジスタと、前記液晶層と、前記第二の透明基板と、前記光源と、前記偏光板と、前記位相差板と、前記透明フィルムとから構成され、タッチパネルは、前記透明フィルムと、前記第一の透明導電層と、前記粘着層と、前記第二の透明フィルムとから構成される。
【００１９】
【発明の実施の形態】
前記の目的を達成して従来の欠点を除去するための課題を実行する本発明の実施例の構成とその作用を添付図面に基づき詳細に説明する。なお、本発明はその他の色々な実施の形態によりも具現されることが可能で、かつ、本発明の範囲は実施例により限定されず、請求範囲に準ずる。
【００２０】
本発明に係るタッチパネル付き平面表示器は、図４に示すように、第一の透明基板１０を有し、該第一の透明基板１０は液晶表示器の下透明基板となり、その材質はプラスッチクまたはガラスであり得る。該第一の透明基板の材質はプラスチックである場合、表示器の軽量化が図られる。一方、該第一の透明基板の材質はガラスを用いると、サイズの大きい表示器の剛性が良くなる。
【００２１】
表示器の反応時間を増加させるために、表示器の制御スイッチとして第一の透明基板１０の上にマトリックス状またはアレー状フィルムトランジスタ１２を形成する。
【００２２】
フィルムトランジスタ１２及び第一の透明基板１０の上にフィルムトランジスタ１２を保護する保護層１４が形成される。保護層１４の上に前方光を反射する反射層１６が形成される。なお、この反射層１６は、本実施例では保護層１４の上に形成されるが、第一の透明基板１０の下方に形成されても良い。
【００２３】
また、反射層１６の上方に順に液晶１８と、インジウム・アンチモン酸化物層である透明導電層２０と、カラー表示器を形成するための色フィルタ２２と、上透明基板となる第二の透明基板２４が形成される。
【００２４】
第二の透明基板２４の材質はプラスッチクまたはガラスであり得る。該第二の透明基板２４の材質はプラスチックである場合、表示器の軽量化が図られる。一方、該第二の透明基板２４の材質はガラスを用いると、サイズの大きい表示器の剛性が良くなる。
【００２５】
本発明では、第二の透明基板２４は光ガイド板として用いられる。また、第二の透明基板２４は、平状板に限らず、くさび形板や中空板又はその他の形状の光ガイド板であっても良い。なお、第二の透明基板２４の光屈折率は色フィルタ２２のそれと異なる。
【００２６】
第二の透明基板２４の端面に光源３０があり、光源３０と第二の透明基板２４の間に偏光板２８及び位相差板２６がある。本発明では、光源３０としては、冷陰極蛍光灯や発光ダイオード、又はその他の類似な光源が用いられる。また、第二の透明基板２４は、そのＶ形切断面または格子等その他の光ガイド手段を以ってサイドからの光線を液晶表示器へガイドすることができる。なお、前記の位相差板２６は１／４波長の位相差板である。このような構成により、偏光板２８及び位相差２６を貼着するのに使うスペースが節約され、表示器全体の厚みが薄くなる。
【００２７】
本発明では、第二の透明基板２４は従来のタッチパネルの基板として利用するため、第二の透明基板２４に透明導体層４４を塗布し、これをタッチパネルの下電極板として利用することができる。そして、該透明導体層４４の上に順に粘着層４６及び上電極板４８を形成することにより、タッチパネルが構成される。本発明では、タッチパネルとしては抵抗型タッチパネルが用いられる。
【００２８】
図５は主に普通のタッチパネル５０の製造プロセス及びその部品を示すものである。
【００２９】
図５において、タッチパネル５０は上電極板５２と粘着層５４及び下電極板５６を貼合してなるものである。ここで、上電極板５２は順にフィルム５２２、ＰＥＴ層５２４、上導電層５２６、及び銀ブス（Ｓｉｌｖｅｒ  Ｂｕｓ）５２６からなり、一方、下電極板５６は順に銀ブス５６２、絶縁層（Ｓｐａｃｅｒ  Ｄｏｔｓ）５６４、下導電層５６６、及び下基板５６８からなる。本発明では、下基板は液晶表示器の第二の透明基板を用いる。
【００３０】
液晶表示器の第二の透明基板２４は、光ガイド板として利用する場合、十分な表面平坦性を有してないため、この第二の透明基板２４に対し透明フィルム４２を形成しかつ平坦化する必要がある。この透明フィルム４２の材質としては、第二の透明基板２４の屈折率と異なる屈折率を有する透明樹脂が用いられる。
【００３１】
前記のように液晶パネルの上透明基板となる第二の透明基板２４は光ガイド板として利用されるが、本発明では、必ずしも光ガイド板として利用するのみに限らない。
【００３２】
図６は本発明の他の実施の形態を示す図である。図６において、第二の透明基板２４の材質はガラスを用い、該第二の透明基板２４の上にＶ形切断面または格子等その他の光ガイド手段からなり紫外線硬化樹脂を材質とする光ガイド板３８を形成する。このような構成はサイズの大きい表示装置にとって好適である。
【００３３】
また、本発明では、その光源は単一の光源に限らず、例えば、図７に示すように、第二の透明基板２４の対向し合う両サイド（端面）に夫々光源３０、３２を設けて良い。これにより、表示器全体の明度は向上する。
【００３４】
本発明は前記実施例の如く提示されているが、これは本発明を限定するものではなく、当業者は本発明の要旨と範囲内において変形と修正をすることができる。
【００３５】
【発明の効果】
本発明によれば、偏光板及び位相差板を上透明基板の端面に設けることによりその貼着面積を減少し材料を節約し表示器全体の軽量薄化を達成することができる。また、背景が深過ぎる問題を克服し光透過率が増大する。更に、光線が表示器全体の光媒体を透過する際の光エネルギー損失が低減し光エネルギーが増強しパワー消耗が低くなる。
【図面の簡単な説明】
【図１】従来の反射型液晶表示器の構成をを示す図である。
【図２】タッチパネルを液晶表示器に直接貼着する例を示す図である。
【図３】タッチパネルを液晶表示器に直接貼着する他の例を示す図である。
【図４】本発明に係るタッチパネルと液晶表示器の組合せ構造の例を示す図である。
【図５】普通のタッチパネルの製造プロセス及びその部品を示す図である。
【図６】本発明に係るタッチパネルと液晶表示器の組合せ構造の他の例を示す図である。
【図７】本発明に係るタッチパネルと液晶表示器の組合せ構造の別の例を示す図である。
【符号の説明】
１０  第一の透明基板
１２  アレー状フィルムトランジスタ
１４、１０４  保護層
１６、１０６  反射層
１８、１０８  液晶
２０  透明導電層
２２、１１２  色フィルタ
２４  第二の透明基盤
２６、１１６  位相差板
２８、１１８  偏光板
３０、３２、１２２  光源
３８、１２０  光ガイド板
４２  透明フィルム
４４  透明導体層
４６、５４  粘着層
４８、５２  上電極板
５０、１４０  タッチパネル
５６  下電極板
５２２  フィルム
５２４  ＰＥＴ層
５２６  上導電層
５２８，５６２  銀ブス層
５６４  絶縁層
５６６  下導電層
５６８  下基板
１０２  マトリックス状フィルタトランジスタ
１００  下地材
１１４  上ガラス基板
１３０  反射型液晶表示器
【図１】
2004212516.tif 000003
【図２】
2004212516.tif 000004
【図３】
2004212516.tif 000005
【図４】
2004212516.tif 000006
【図５】
2004212516.tif 000007
【図６】
2004212516.tif 000008
【図７】
2004212516.tif 000009